(57)【要約】      （修正有）【課題】取っ手付き大容量のペットボトルや大容量紙パック容器からグラスなどに飲料を注ぐには、その都度、重いボトルを持ち上げ、傾けなければならなかった。本発明は上記のような容器から簡単に飲料を注出することができる立て具を提供する。【解決手段】台座１の端部に柱２を垂直に設け、柱２の上方の台座１側の一部に取っ手受け部１０を設ける。柱２の上部に上下にスライドする空気進入穴を開けるための穴あけレバー４を設ける、以上の構成からなるスタンドと、２．７Ｌペットボトル装着時に使用するフック付き取っ手掴み具と紙パック装着時に使用するフック付きのあて板と各容器の口部に装着するコック付き注ぎ口１１からなる取っ手付きペットボトル９及び大容量紙パック立て具。【選択図】図１
2011168333.tif 000002
【特許請求の範囲】
【請求項１】
台座の端部に垂直の柱を設け、その上方の台座側には取っ手付きペットボトルの取っ手部分を逆さまに引っ掛けて固定できる取っ手受け部があり、また、紙パック容器使用時にはそれを同じ様に固定するためのフック付きあて板を装着することにより、ペットボトルと同様に固定することができる。最上部には各容器のサイズに合わせて上下にスライドする空気進入穴を開けるための穴あけ針の付いた穴あけレバーを備えていることを特徴とする取っ手付きペットボトル及び紙パック容器立て具。
【発明の詳細な説明】
【技術分野】
【０００１】    本発明は、取っ手付きペットボトル及び大容量紙パック容器から飲料を注出するための立て具に関するものである。
【背景技術】
【０００２】  従来、ペットボトルをスタンドの縦穴に逆さまに差し込むことによって安定、保持でき、また抽出時の脈動を防ぐために抽出口のコックから空気導入管を通してペットボトル内に空気を送るペットボトル飲料用サーバーがある。
【先行技術文献】
【０００３】
【特許文献１】  実登３１３９０６６号公報
【発明の概要】
【発明が解決しようとする課題】
【０００４】  上記の先行技術のスタンドでは紙パック容器は形状が合わないため使用できない。また空気導入方法は構造が複雑である。本発明は以上の問題点を解決するためになされたものである。
【課題を解決するための手段】
【０００５】  台座の端部に柱を垂直に設け、柱の上方の台座側の一部に取っ手受け部を設ける。柱の上部に上下にスライドする空気進入穴を開けるための穴あけレバーを設ける、以上の構成からなるスタンドと、２．７Ｌペットボトル装着時に使用するフック付き取っ手掴み具と紙パック装着時に使用するフック付きのあて板と各容器の口部に装着するコック付き注ぎ口からなる取っ手付きペットボトル及び大容量紙パック立て具。
【発明の効果】
【０００６】  ２．７Ｌや４Ｌの大型ペットボトルの取っ手を利用すること、また紙パック容器にはフック付きのあて板を装着することで簡単にスタンドに取り付けられ、飲料を注ぐ時に、持ち上げる必要がなく、レバー操作だけで簡単にグラスなどに注ぐ事ができる。
【図面の簡単な説明】
【０００７】
【図１】本発明の取っ手付きペットボトル装着状態を示す。
【図２】本発明の紙パック容器装着状態を示す。
【図３】本発明のスタンド本体の斜視図を示す。
【図４】紙パック装着時のあて板の斜視図を示す。
【図５】２．７Ｌペットボトル装着時に使用するフック付き取っ手掴み具の斜視図を示す。
【図６】２．７Ｌペットボトル装着時に使用するフック付き取っ手掴み具の使用状況を示す断面図。
【発明を実施するための形態】
【０００８】  以下、本発明の実施の形態を説明する。
本発明は取っ手付きペットボトルと大容量の紙パック容器に対応できるように形成されている。台座（１）の端部に柱（２）を設ける。柱（２）の台座側上方に取っ手受け部（１０）と最上部に穴あけレバー（４）を設ける。
【０００９】  紙パック容器の装着には、装着用フック付きあて板（８）を使用する。あて板の一端は紙パック最上部の紙の合わせ目の凸部（９）に固定され、もう一端はマジックテープ（１４）により固定される。
【０００１０】  ２．７Ｌのペットボトル（１８）の装着には取っ手の形状上フック付き取っ手掴み具（１６）を使用する。この掴み具のペットボトルを掴む部分（２０）には弾力性のあるゴムなどを滑り止めとして使用する。
【０００１１】  穴あけレバー（４）は穴あけレバー支持部（３）が柱の内部をスライド上下し、固定ネジ（７）により適当な位置に固定され、サイズの違う容器を装着しても常に最上部の空気層に空気取り入れ穴を開けることができる。また、それを使用するときはテコの原理により軽くレバーを押すだけで穴あけレバー針（５）が容器に刺さり容易に穴を開けることができる。
【０００１２】  コック付き注ぎ口はペットボトル用と紙パック用の２種類の形状のものがあり、それぞれはそのフタの代わりに装着して使用する。
本発明は以上のような構造である。
本発明に取っ手付４Ｌペットボトル（９）を装着して使用するときは、その口部のフタをはずし、その代わりにペットボトル専用のコック付き注ぎ口（１１）を取り付る、次に、それを逆さまにして、その取っ手部分（１９）を取っ手受け部（１０）に引っ掛けるように装着する。取っ手受け部（１０）には取っ手が横にずれて落ちないように落下防止凸部（２１）が設けてある。  次に、穴あけレバー（４）の穴あけ針（５）の先端を、取っ手付ペットボトル（９）の内部の空気層の位置にスライドさせ、固定ネジ（７）を締め付け、穴あけ針（５）を差し込み穴を開ける、次にレバーを少し戻すと空気取り入れ穴が開く。そして、抽出レバー（１２）を下げるとグラス（１３）に飲料が注がれる。
次に、２．７Ｌのペットボトル（１８）を装着して使用するときは、４Ｌと同様にまず、口部にコック付き注ぎ口（１１）を取り付け、次に取っ手部分にフック付き取っ手掴み具（１６）を押し込むように取り付け、逆さまにしてフック（１７）を取っ手受け部（１０）に引っ掛けるように取り付ける、後は４Ｌの場合と同様に空気取り入れ穴を開け抽出レバー（１２）を下げるとグラス（１３）に飲料が注がれる。
次に本発明に紙パック容器（６）を装着して使用するときは、まず、紙パックの口部のフタをはずし、その代わりに紙パック専用のコック付き注ぎ口（１１）を取り付る、次にフック付きあて板（８）の一端を紙パック最上部の紙の合わせ目の凸部（９）にはめ込み、もう一端はマジックテープ（１４）を巻きつけて固定する。次にそれを逆さまにしてあて板のフック（１５）を取っ手受け部（１０）に引っ掛けるように取り付ける、後はペットボトルの場合と同様に穴あけレバー（４）の穴あけ針（５）の先端を、紙パックの底の角あたりにスライドさせ、固定ネジ（７）を締め付け、穴あけレバーを下げ空気取り入れ穴を開ける。そして、抽出レバー（１２）を下げるとグラス（１３）に飲料が注がれる。
【符号の説明】
【０００１３】  （１）台座、（２）柱、（３）穴あけレバー支持部、（４）穴あけレバー、（５）穴あけ針、（６）紙パック、（７）穴あけレバー固定ネジ、（８）紙パック装着用あて板、（９）４Ｌペットボトル、（１０）取っ手受け部、（１１）コック付き注ぎ口、（１２）抽出レバー、（１３）グラス、（１４）紙パック固定用マジックテープ、（１５）あて板フック、（１６）２．７Ｌペットボトル取っ手掴み具、（１７）取っ手掴み具フック、（１８）２．７Ｌペットボトル、（１９）紙パック合わせ目凸部、（２０）取っ手掴み部、（２１）落下防止凸部、
【図１】
2011168333.tif 000003
【図２】
2011168333.tif 000004
【図３】
2011168333.tif 000005
【図４】
2011168333.tif 000006
【図５】
2011168333.tif 000007
【図６】
2011168333.tif 000008